(57)【要約】【課題】開き戸を開放位置に維持すること、あるいはその開放位置から閉鎖位置へ戻すことが容易な開き戸用ドアストッパ及びそれを備えた開き戸セットを簡易な構成で実現する。【解決手段】開き戸用ドアストッパ２は、フラップ１１、キャッチャ２０、及びキャッチャ２０内に組み込まれる永久磁石３１を備える。フラップ１１は、床Ｆに配置され、開き戸２の開放側に位置する基端部１１ｂを中心として開き戸１の閉鎖側に位置する先端部１１ａが回動可能とされる。キャッチャ２０は、開き戸１の床側端部１ａに埋設され、傾斜状態に回動したフラップ１１の先端部１１ａを受け入れるために開き戸１の開放側に開口する開口部２１ａを有する。キャッチャ２０は、開口部２１ａ内へのフラップ１１の先端部１１ａの進入に伴い、フラップ１１の傾斜角度を大きくする傾斜面２３ａ１を有する突起２３ａと、フラップ１１の先端部１１ａと係合可能な凹部２３ｂ（係合凹部）とを有する。【選択図】図２
2018115456.tif 000002
【特許請求の範囲】
【請求項１】
開き戸を所定の開放位置に保持するための開き戸用ドアストッパであって、
床又は天井に配置され、開き戸の開放側に位置する基端部を中心として開き戸の閉鎖側に位置する先端部が回動し、床面又は天井面との平行状態から鋭角をなす傾斜状態に姿勢変更可能な磁性体のフラップと、
開き戸の床側端部又は天井側端部に固定配置され、傾斜状態に回動した前記フラップの先端部を受け入れるために開き戸の開放側に開口する開口部を有し、かつ該開口部内への前記フラップの先端部の進入に伴い、前記フラップの傾斜角度を大きくする傾斜面を有する突起と、前記突起の傾斜面に連続して形成された、前記フラップの先端部と係合可能な係合凹部とを有するキャッチャと、
前記開口部に連通する連通孔内に配置され、床方向又は天井方向を付勢方向とする付勢部材で押圧されてその付勢方向に沿って前記連通孔内を移動可能な永久磁石とを備え、
開き戸が閉鎖位置から開放側へ回動されるとき、前記永久磁石がその磁力により前記フラップを平行状態から傾斜状態となるように回動させ、回動して前記永久磁石に磁着されたフラップの先端部が前記突起に乗り上げるのに伴い、前記永久磁石を前記付勢方向とは反対方向へ押し戻しつつ前記キャッチャの係合凹部と係合し、かつ前記付勢部材の付勢力を受けた前記永久磁石による押圧作用を受けて前記フラップの先端部の前記係合凹部に対する係合状態が保持されて開き戸を前記開放位置に維持する一方、
開き戸が前記開放位置における開放維持状態から前記閉鎖位置側へ回動されるとき、前記フラップの先端部が前記突起を乗り越えるのに伴い、前記永久磁石を前記付勢方向とは反対方向へ押し戻しつつ前記キャッチャの係合凹部から離脱し、前記永久磁石の磁力から逃れたフラップが床面又は天井面との平行状態へ復帰することを特徴とする開き戸用ドアストッパ。
【請求項２】
前記連通孔は、その中心線が床面又は天井面の法線に対して斜めに交差するように設定されている請求項１に記載の開き戸用ドアストッパ。
【請求項３】
前記キャッチャは、前記連通孔を有する本体部と、前記突起及び前記係合凹部を有する蓋部とが一体的に組み合わされたケース体を備える請求項１又は２に記載の開き戸用ドアストッパ。
【請求項４】
請求項１ないし３のいずれか１項に記載の開き戸用ドアストッパを備えた開き戸セット。
【発明の詳細な説明】
【技術分野】
【０００１】
本発明は、ヒンジ（蝶番）等により支持された一端（一辺）側を回動支点として開閉する開き戸（扉）を、所定の開放位置に維持するためのドアストッパ（戸当たりとも呼ばれる）と、そのドアストッパを備えた開き戸セットに関する。
【背景技術】
【０００２】
この種のドアストッパとして、例えば床又は天井に基端部が取り付けられた板状のストッパ本体（フラップ）の自由端部を吸着可能なマグネット（永久磁石）と、扉に設けられ、マグネットに吸着された状態のストッパ本体の自由端部に押されることで、ばね（付勢部材）の付勢力に抗して後退するスライダと、スライダの後退に伴いストッパ本体と係合し、スライダの前進に伴いストッパ本体との係合が解除されるラッチと、スライダの前進・後退をコントロール可能なカム機構とを備えたものが知られている（下記特許文献１参照）。
【先行技術文献】
【特許文献】
【０００３】
【特許文献１】特許第５４９５５７６号公報
【０００４】
上記特許文献１に記載されたドアストッパでは、扉の開閉動作に応じてカム機構によるロック機能が作動し、開放位置に至った扉はその開放位置に維持される。そして、その開放位置にて扉を僅かだけ開方向へ進めた後に閉方向へ僅かだけ反転させるようにすると、カム機構によるロック機能が解除され、扉が閉鎖位置へ戻るようになる。
【０００５】
しかしながら、上記特許文献１に記載されたドアストッパでは、カム機構によるロック機能を解除するための解除操作にある程度のコツが必要であるため、例えば子供にとってはその解除操作が困難である一方、大人にとってはその解除操作が煩わしいと感じられる場合が多かった。さらに、そのようなロック機能を実現するためには多くの構成部品が必要であり、その構成が複雑である（組み付け作業性が悪い）という問題もあった。
【発明の概要】
【発明が解決しようとする課題】
【０００６】
本発明の課題は、開き戸を開放位置に維持すること、あるいはその開放位置から閉鎖位置へ戻すことが容易な開き戸用ドアストッパ及びそれを備えた開き戸セットを簡易な構成で実現することにある。
【課題を解決するための手段及び発明の効果】
【０００７】
上記課題を解決するために、本発明の開き戸用ドアストッパは、
開き戸を所定の開放位置に保持するための開き戸用ドアストッパであって、
床又は天井に配置され、開き戸の開放側に位置する基端部を中心として開き戸の閉鎖側に位置する先端部が回動し、床面又は天井面との平行状態から鋭角をなす傾斜状態に姿勢変更可能な磁性体のフラップと、
開き戸の床側端部又は天井側端部に固定配置され、傾斜状態に回動した前記フラップの先端部を受け入れるために開き戸の開放側に開口する開口部を有し、かつ該開口部内への前記フラップの先端部の進入に伴い、前記フラップの傾斜角度を大きくする傾斜面を有する突起と、前記突起の傾斜面に連続して形成された、前記フラップの先端部と係合可能な係合凹部とを有するキャッチャと、
前記開口部に連通する連通孔内に配置され、床方向又は天井方向を付勢方向とする付勢部材で押圧されてその付勢方向に沿って前記連通孔内を移動可能な永久磁石とを備え、
開き戸が閉鎖位置から開放側へ回動されるとき、前記永久磁石がその磁力により前記フラップを平行状態から傾斜状態となるように回動させ、回動して前記永久磁石に磁着されたフラップの先端部が前記突起に乗り上げるのに伴い、前記永久磁石を前記付勢方向とは反対方向へ押し戻しつつ前記キャッチャの係合凹部と係合し、かつ前記付勢部材の付勢力を受けた前記永久磁石による押圧作用を受けて前記フラップの先端部の前記係合凹部に対する係合状態が保持されて開き戸を前記開放位置に維持する一方、
開き戸が前記開放位置における開放維持状態から前記閉鎖位置側へ回動されるとき、前記フラップの先端部が前記突起を乗り越えるのに伴い、前記永久磁石を前記付勢方向とは反対方向へ押し戻しつつ前記キャッチャの係合凹部から離脱し、前記永久磁石の磁力から逃れたフラップが床面又は天井面との平行状態へ復帰することを特徴とする。
また、本発明の開き戸セットは、上記開き戸用ドアストッパを備えたことを特徴とする。
【０００８】
このような開き戸用ドアストッパやそのドアストッパを備えた開き戸セットによれば、開き戸の開放維持状態を解除するためには、開き戸に対し所定大きさ以上の力を加えて閉鎖位置側へ回動させるだけで、フラップの先端部とキャッチャの係合凹部との係合を解除することができる。このため、その解除操作が極めてシンプルである。しかも、開き戸を開放維持状態に維持する機能が、永久磁石、付勢部材、突起及び係合凹部を有するキャッチャ等を主要な構成要素として実現可能であり、部品点数が少なくて済み、その構成も簡易（組み付け作業性が良好）である。
【図面の簡単な説明】
【０００９】
【図１】本発明に係る開き戸用ドアストッパを適用した開き戸セットの全体外観図。
【図２】永久磁石が下限位置にある一方で、フラップが収納されて床面と平行状態にある、開き戸が閉鎖状態にあるときの正面断面拡大図。
【図３】フラップの先端部が永久磁石に磁着された、開き戸が開放開始状態にあるときの正面断面拡大図。
【図４】フラップの先端部が永久磁石を押し上げた、開き戸が開放途中にあるときの正面断面拡大図。
【図５】フラップの先端部がキャッチャの係合凹部と係合した、開き戸が開放維持状態にあるときの正面断面拡大図。
【発明を実施するための形態】
【００１０】
以下、本発明の実施の形態について、図面を用いて説明する。
【実施例】
【００１１】
図１は、本発明に係る開き戸用ドアストッパ２を適用した開き戸セットＤＳを示す。開き戸セットＤＳは、図示を省略するヒンジ（蝶番）等により支持された一端（一辺）側を回動支点として開閉するタイプの開き戸（扉、ドア）１を備えている。開き戸１は、閉鎖位置と開放位置との間を回動自在とされている。開き戸用ドアストッパ２は、開き戸１の開放位置側の床Ｆに配置されるフラップ１１と、開き戸１の床側端部１ａに埋設されるキャッチャ２０と、キャッチャ２０内に組み込まれる永久磁石３１（図２参照）とを含んで構成されている。
【００１２】
フラップ１１は、永久磁石３１に吸着可能な磁性材料（例えばフェライト系ステンレス鋼）製の矩形板材で形成され、図２に示されるように、その先端部１１ａが床Ｆ側に湾曲状に曲げ形成されて下方に膨らむ凸部とされている。フラップ１１は、床Ｆにビス等によりねじ止めされたべース１２に対して、基端部１１ｂが回動軸１３の軸線周りに回動可能に取り付けられている。この場合、フラップ１１は基端部１１ｂが開き戸１の開放側に位置し、先端部１１ａが開き戸１の閉鎖側に位置するように配置されている。
【００１３】
ベース１２には、フラップ１１の回動を許容するように中央部に四角形状の貫通孔１４ａが形成されたカバー１４が装着されている。フラップ１１は、床Ｆの床面に対してほぼ平行な姿勢（平行状態）をなす原位置と、床Ｆの床面に対して鋭角状に交差する傾斜姿勢（傾斜状態）をなす作動位置との間を回動軸１３の軸線周りに回動するようになっている。
【００１４】
キャッチャ２０は、永久磁石３１に加えて、ケース体２１、圧縮コイルばね４１及びばね受け片４２を備えている。ケース体２１は、正面視略Ｕの字形状をなす、全体としてブロック状の本体部２２と、その本体部２２におけるＵの字の表裏の一方側に取り付けられてＵの字を構成する左右の縦辺部２２ａと、下の横辺部２２ｂで囲まれた部位のスペースがＵの字の表裏（図２中の図示左右方向に相当）を貫通しないようその一方側（図２では右側に相当）を遮蔽する蓋部２３とで構成されている。本体部２２及び蓋部２３は、いずれも非磁性材料（例えば樹脂）で形成されている。
【００１５】
本体部２２には、Ｕの字を構成する下の横辺部２２ｂを上下（図２中の図示上下方向に相当）に貫通する貫通孔２２ｂ１が形成されている。後述するように、貫通孔２２ｂ１には永久磁石３１が収容される。貫通孔２２ｂ１は、その中心線Ｌ１が床Ｆの床面の法線Ｌ２（鉛直線）に対して斜めに交差（例えば交差角度θが５〜３０°）するように設定されている。貫通孔２２ｂ１の傾斜配置に対応して、本体部２２の底面２２ｃは、その高さ位置が蓋部２３側へ向かうに従って徐々に上昇する傾斜面状に形成されている。
【００１６】
蓋部２３の内側下部位（図２中の図示下方向の部位に相当）には、本体部２２側に突出する突起２３ａと、突起２３ａに隣接して本体部２２側へ開口する凹部２３ｂとが形成されている。突起２３ａは、凸状のカムとして機能し、その先端から基端側へ向けて上り勾配となる傾斜面２３ａ１と、緩やかに湾曲する頂上部２３ａ２と、下り勾配となる傾斜面２３ａ３とを有し、傾斜面２３ａ３は凹部２３ｂの内周面へと滑らかに接続されている。
【００１７】
突起２３ａの傾斜面２３ａ３の傾斜角度は、傾斜面２３ａ１の傾斜角度に比べて大きく設定されている。突起２３ａの傾斜面２３ａ１、２３ａ２及び頂上部２３ａ２は、フラップ１１の先端部１１ａを誘導する案内面とされている。凹部２３ｂは、フラップ１１の先端部１１ａを収容可能な大きさに形成され、突起２３ａの傾斜面２３ａ３と協働して、突起２３ａの頂上部２３ａ２側へのフラップ１１の先端部１１ａの移動を抑制している。凹部２３ｂ、及び突起２３ａの傾斜面２３ａ３が本発明の係合凹部に相当する。
【００１８】
上記のような本体部２２及び蓋部２３の構成により、ケース体２１の下部における、本体部２２の底面２２ｃと蓋部２３の突起２３ａとの間には、開き戸１の開放側に向けて斜めに開口する開口部２１ａが形成され、本体部２２の貫通孔２２ｂ１は、開口部２１ａに連通するように構成されている。本体部２２の貫通孔２２ｂ１が本発明の連通孔に相当する。
【００１９】
蓋部２３の内側上部位（図２中の図示上方向の部位に相当）には、本体部２２側へ開口する止まり穴状の係止孔２３ｃが形成されている。本体部２２には、係止孔２３ｃに対応してＵの字を構成する左右縦辺部２２ａを同軸的に貫通する貫通孔２２ａ１が形成され、貫通孔２２ａ１には係止軸２４が挿通されている。後述するように、係止孔２３ｃ及び係止軸２４は、ばね受け片４２を取り付けるためのものである。
【００２０】
永久磁石３１は、円柱状に形成され、その外周部には有底円筒状をなす磁石ケース３２がその底部を下側とする向きに一体的に装着されている。磁石ケース３２は、ケース体２１と同様、非磁性材料（例えば樹脂）で形成されている。磁石ケース３２には、互いに反対方向へ突出する一対のガイド部３２ａが形成され、各ガイド部３２ａに対応して本体部２２には、中心線Ｌ１方向へ延びるガイド溝２２ｄが形成されている。各ガイド部３２ａが対応するガイド溝２２ｄに沿って移動するのに伴い、永久磁石３１は磁石ケース３２と共に貫通孔２２ｂ１内をその中心線Ｌ１に沿って上下に移動する。そして、各ガイド部３２ａがガイド溝２２ｄの下端面に接触した位置が、永久磁石３１の下限位置とされている。この下限位置では、磁石ケース３２は、貫通孔２２ｂ１から開口部２１ａ側へ僅かな量だけ突出し、その底面が本体部２２の底面２２ｃの傾斜角度に近い状態となるように傾斜配置されている。
【００２１】
ばね受け片４２は、矩形状の板材の中間部がクランク状に屈曲形成されたものであり、その一端部が蓋部２３の係止孔２３ｃに差し込まれ、他端部が係止軸２４に下側から引っ掛けられてケース体２１に取り付けられる。圧縮コイルばね４１は、永久磁石３１とばね受け片４２との間に圧縮状態で介装され、その付勢力により永久磁石３１を貫通孔２２ｂ１の中心線Ｌ１の下方向を付勢方向として付勢する。圧縮コイルばね４１が本発明の付勢部材に相当する。
【００２２】
次に、上記のように構成された開き戸用ドアストッパ２の作動について説明する。
開き戸１が閉鎖位置から開放位置側へ回動され、床側端部１ａがフラップ１１の上面に差し掛かると、図３に示されるように、フラップ１１の先端部１１ａは永久磁石３１に引き寄せられる。すなわち、フラップ１１が平行状態から傾斜状態となるように回動軸１３の軸線周りに回動するのに伴い、フラップ１１の先端部１１ａはケース体２１の開口部２１ａを経て本体部２２内へ進入し、永久磁石３１に磁着される。
【００２３】
開き戸１が更に開放位置側へ回動されると、永久磁石３１に磁着されたフラップ１１の先端部１１ａは、図４に示されるように、ケース体２１の突起２３ａに乗り上げる。具体的に、フラップ１１の先端部１１ａは、磁石ケース３２の底面と突起２３ａの傾斜面２３ａ１とに挟まれた状態で、傾斜面２３ａ１に沿って摺動する。この場合、貫通孔２２ｂ１の傾斜配置角度θが５〜３０°に設定されているので、フラップ１１の先端部１１ａは磁石ケース３２により妨げられることなく、滑らかに摺動することができる。そして、フラップ１１の先端部１１ａが突起２３ａの頂上部２３ａ２に近づくに従って、フラップ１１の傾斜角度は次第に大きくなる。
【００２４】
このとき、フラップ１１の先端部１１ａは、永久磁石３１及び磁石ケース３２を貫通孔２２ｂ１の中心線Ｌ１の上方向、すなわち圧縮コイルばね４１の付勢方向とは反対方向へ押し戻しつつ、突起２３ａの頂上部２３ａ２に達し、頂上部２３ａ２を乗り越えた後、傾斜面２３ａ３を経て、凹部２３ｂと係合する（図５参照）。この係合状態となったとき、開き戸１が開放位置に至ったことになる。そして、開き戸１が開放位置にある限り、圧縮コイルばね４１の付勢力を受けた永久磁石３１及び磁石ケース３２による押圧作用を受けてフラップ１１の先端部１１ａの凹部２３ｂに対する係合状態が保持され、その結果、開き戸１が開放位置に維持される。
【００２５】
開き戸１が開放位置における開放維持状態から閉鎖位置側へ回動されるときは、上記とは逆の過程をたどる。具体的には、開き戸１に対して閉鎖位置側へ所定大きさ以上の力、すなわちフラップ１１の先端部１１ａが圧縮コイルばね４１の付勢力に抗して永久磁石３１及び磁石ケース３２を貫通孔２２ｂ１の中心線Ｌ１の上方向（圧縮コイルばね４１の付勢方向とは反対方向）へ押し戻し、突起２３ａの傾斜面２３ａ３を通り頂上部２３ａ２を乗り越え、傾斜面２３ａ１に至るのに必要な力を加えることで、フラップ１１の先端部１１ａは凹部２３ｂから離脱する。
【００２６】
開き戸１が更に閉鎖位置側へ回動されると、フラップ１１の先端部１１ａは、下限位置に位置する永久磁石３１の磁力から逃れ、その後はベース１２側へと自由落下し、ベース１２及びカバー１４内に収容される平行状態へと復帰する。
【００２７】
以上の説明から明らかなように、本実施例の開き戸用ドアストッパ２やそのドアストッパ２を備えた開き戸セットＤＳによれば、開き戸１の開放維持状態を解除するためには、開き戸１に対し所定大きさ以上の力を加えて閉鎖位置側へ回動させるだけで、フラップ１１の先端部１１ａとキャッチャ２０の凹部２３ｂとの係合を解除することができる。このため、その解除操作が極めてシンプルである。しかも、開き戸１を開放維持状態に維持する機能が、永久磁石３１、圧縮コイルばね４１、ばね受け片４２、突起２３ａ及び凹部２３ｂを有するキャッチャ２０を構成要素として実現することができる。これにより、部品点数が少なくて済み、その構成も簡易となって、組み付け作業性も良好である。
【００２８】
なお、上記実施例では、キャッチャ２０のケース体２１を本体部２２と蓋部２３との別体構成とし、蓋部２３に突起２３ａ及び凹部２３ｂを形成するようにしたので、ケース体２１の開口部２１ａを所望の形状とすることが容易であったが、ケース体の構成はこれに限らず、本体部と蓋部とが一体の成型品とすることも可能である。
【００２９】
また、上記実施例では、キャッチャ２０が開き戸１の床側端部１ａに埋設されることで固定配置される構成としたが、これに限らず、開き戸１の内側壁面又は外側壁面に外付けされることで固定配置される構成としてもよい。
【００３０】
また、上記実施例では、フラップ１１が床Ｆに配置され、キャッチャ２０が開き戸１の床側端部１ａに固定配置される構成としたが、これに加えて又は代えて、フラップ１１が天井に配置され、キャッチャ２０が開き戸１の天井側端部に固定配置される構成とすることも可能である。
【００３１】
その他、本発明は、上記実施例等に記載された態様に限らず、その趣旨を逸脱しない範囲において、種々の変更を加えた態様で実施することが可能である。
【符号の説明】
【００３２】
ＤＳ  開き戸セット
１  開き戸
１ａ  床側端部
２  開き戸用ドアストッパ
１１  フラップ
１１ａ  先端部
１１ｂ  基端部
２０  キャッチャ
２１  ケース体
２１ａ  開口部
２２  本体部
２２ｂ１  貫通孔（連通孔）
２３  蓋部
２３ａ  突起
２３ａ３  傾斜面（係合凹部）
２３ｂ  凹部（係合凹部）
３１  永久磁石
３２  磁石ケース
４１  圧縮コイルばね（付勢部材）
４２  ばね受け片
【図１】
2018115456.tif 000003
【図２】
2018115456.tif 000004
【図３】
2018115456.tif 000005
【図４】
2018115456.tif 000006
【図５】
2018115456.tif 000007
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
開き戸を所定の開放位置に保持するための開き戸用ドアストッパであって、
床又は天井に配置され、開き戸の開放側に位置する基端部を中心として開き戸の閉鎖側に位置する先端部が回動し、床面又は天井面との平行状態から鋭角をなす傾斜状態に姿勢変更可能な磁性体のフラップと、
開き戸の床側端部又は天井側端部に固定配置され、傾斜状態に回動した前記フラップの先端部を受け入れるために開き戸の開放側に開口する開口部を有し、かつ該開口部内への前記フラップの先端部の進入に伴い、前記フラップの傾斜角度を大きくする傾斜面を有する突起と、前記突起の傾斜面に連続して形成された、前記フラップの先端部と係合可能な係合凹部とを有するキャッチャと、
前記開口部に連通する連通孔内に配置され、床方向又は天井方向を付勢方向とする付勢部材で押圧されてその付勢方向に沿って前記連通孔内を移動可能な永久磁石とを備え、
開き戸が閉鎖位置から開放側へ回動されるとき、前記永久磁石がその磁力により前記フラップを平行状態から傾斜状態となるように回動させ、回動して前記永久磁石に磁着されたフラップの先端部が前記突起に乗り上げるのに伴い、前記永久磁石を前記付勢方向とは反対方向へ押し戻しつつ前記キャッチャの係合凹部と係合し、かつ前記付勢部材の付勢力を受けた前記永久磁石による押圧作用を受けて前記フラップの先端部の前記係合凹部に対する係合状態が保持されて開き戸を前記開放位置に維持する一方、
開き戸が前記開放位置における開放維持状態から前記閉鎖位置側へ回動されるとき、前記フラップの先端部が前記突起を乗り越えるのに伴い、前記永久磁石を前記付勢方向とは反対方向へ押し戻しつつ前記キャッチャの係合凹部から離脱し、前記永久磁石の磁力から逃れたフラップが床面又は天井面との平行状態へ復帰するように構成され、
前記キャッチャは、前記連通孔を有する本体部と、前記突起及び前記係合凹部を有する蓋部とが一体的に組み合わされたケース体を備えることを特徴とする開き戸用ドアストッパ。
【請求項２】
前記連通孔は、その中心線が床面又は天井面の法線に対して斜めに交差するように設定されている請求項１に記載の開き戸用ドアストッパ。
【請求項３】
請求項１又は２に記載の開き戸用ドアストッパを備えた開き戸セット。
【手続補正２】
【補正対象書類名】明細書
【補正対象項目名】０００７
【補正方法】変更
【補正の内容】
【０００７】
上記課題を解決するために、本発明の開き戸用ドアストッパは、
開き戸を所定の開放位置に保持するための開き戸用ドアストッパであって、
床又は天井に配置され、開き戸の開放側に位置する基端部を中心として開き戸の閉鎖側に位置する先端部が回動し、床面又は天井面との平行状態から鋭角をなす傾斜状態に姿勢変更可能な磁性体のフラップと、
開き戸の床側端部又は天井側端部に固定配置され、傾斜状態に回動した前記フラップの先端部を受け入れるために開き戸の開放側に開口する開口部を有し、かつ該開口部内への前記フラップの先端部の進入に伴い、前記フラップの傾斜角度を大きくする傾斜面を有する突起と、前記突起の傾斜面に連続して形成された、前記フラップの先端部と係合可能な係合凹部とを有するキャッチャと、
前記開口部に連通する連通孔内に配置され、床方向又は天井方向を付勢方向とする付勢部材で押圧されてその付勢方向に沿って前記連通孔内を移動可能な永久磁石とを備え、
開き戸が閉鎖位置から開放側へ回動されるとき、前記永久磁石がその磁力により前記フラップを平行状態から傾斜状態となるように回動させ、回動して前記永久磁石に磁着されたフラップの先端部が前記突起に乗り上げるのに伴い、前記永久磁石を前記付勢方向とは反対方向へ押し戻しつつ前記キャッチャの係合凹部と係合し、かつ前記付勢部材の付勢力を受けた前記永久磁石による押圧作用を受けて前記フラップの先端部の前記係合凹部に対する係合状態が保持されて開き戸を前記開放位置に維持する一方、
開き戸が前記開放位置における開放維持状態から前記閉鎖位置側へ回動されるとき、前記フラップの先端部が前記突起を乗り越えるのに伴い、前記永久磁石を前記付勢方向とは反対方向へ押し戻しつつ前記キャッチャの係合凹部から離脱し、前記永久磁石の磁力から逃れたフラップが床面又は天井面との平行状態へ復帰するように構成され、
前記キャッチャは、前記連通孔を有する本体部と、前記突起及び前記係合凹部を有する蓋部とが一体的に組み合わされたケース体を備えることを特徴とする。
また、本発明の開き戸セットは、上記開き戸用ドアストッパを備えたことを特徴とする。